(57)【要約】【課題】シリンドリカルレンズの内部反射によるゴースト光が偏向器に到達しないようにする。【解決手段】シリンドリカルレンズ４を副走査方向から見た図において、シリンドリカルレンズ４の入射側の面４ａ（副走査方向にのみパワーを持つシリンドリカル面）に対する法線（レンズ光軸）ｊと、出射側の面４ｂ（平面）に対する法線（レンズ光軸）ｋとを非平行とする。これにより、シリンドリカルレンズ４の内部で内部反射が生じた場合でも、その反射光によるゴースト光８ｃは、レンズ保持部材９方向に向かい、そのベース面で拡散されるので、被走査面に到達しないようにすることができる。【選択図】        図５
2005037501.tif 000002
【特許請求の範囲】
【請求項１】
光源の発散光束をカップリングする第１結像光学系と、
前記第１結像光学系の出射光を偏向反射面近傍に線像を形成するように導光する第２結像光学系と、
前記偏向反射面を有する偏向器と、
前記偏向器により偏向反射された光束を被走査面上に光スポットとして結像する第３結像光学系とから構成される光走査装置において、
前記第２結像光学系は、光束の入射側の面に対する法線（光軸）と出射側の面に対する法線（光軸）とが非平行であることを特徴とする光走査装置。
【請求項２】
光源の発散光束をカップリングする第１結像光学系と、
前記第１結像光学系の出射光を偏向反射面近傍に線像を形成するように導光する第２結像光学系と、
前記偏向反射面を有する偏向器と、
前記偏向器により偏向反射された光束を被走査面上に光スポットとして結像する第３結像光学系とから構成される光走査装置において、
前記第２結像光学系に入射する光束の入射方向と出射する光束の出射方向とが非平行であることを特徴とする光走査装置。
【請求項３】
前記第２結像光学系に入射する光束の入射方向に対して、入射側の面の法線（光軸）は略平行で、出射側の面の法線（光軸）は非平行であることを特徴とする請求項１又は２記載の光走査装置。
【請求項４】
前記第２結像光学系の内部反射によるゴースト光が前記被走査面に至らないように入射面と出射面が構成されていることを特徴とする請求項１又は２記載の光走査装置。
【請求項５】
前記光源は複数の発光点を有し複数の光束を出射する光源装置であることを特徴とする請求項１から４のいずれか１項に記載の光走査装置。
【請求項６】
前記光源及び第１結像光学系を複数組有し、複数の光束を出射することを特徴とする請求項１から４のいずれか１項に記載の光走査装置。
【請求項７】
前記被走査面上に光スポットとして結像されたときに、前記複数の光束が前記偏向器の偏向反射面近傍で交差するように構成されていることを特徴とする請求項５又は６記載の光走査装置。
【請求項８】
前記第２結像光学系は、入射光束の光軸に対して略平行な回転軸の周りを回転可能になされていることを特徴とする請求項５から７のいずれか１項に記載の光走査装置。
【請求項９】
前記第２結像光学系と前記偏向器との間に透明体からなる光学窓を設けたことを特徴とする請求項１から８のいずれか１項に記載の光走査装置。
【請求項１０】
請求項１から９記載の光走査装置を備えた画像形成装置。
【発明の詳細な説明】
【０００１】
【発明の属する技術分野】
本発明は、レーザプリンタ、レーザ複写機等の画像形成装置に用いられる光書込光学系としての光走査装置及び画像形成装置に関する。
【０００２】
【従来の技術】
光書込光学系の低コスト化を図るために、光書込光学系を構成する各光学素子のプラスチック化が進んでいる。従来では各光学素子はガラスが使用され、反射防止のためにコーティングが施されていた。しかし、プラスチック化すると、プラスチックへのコートは技術的、コスト的に問題が多いため、コーティングを省略する傾向にある。
【０００３】
このため、反射防止コートを施したガラスレンズの場合には問題にならなかったレンズの面間での反射によるゴースト光が、反射防止コートを省略されたプラスチックレンズの場合は光量的に大きくなり、また、近年の感光体の感度向上にもより、ゴースト光が画像として現れ画質劣化を引き起こし問題となっていた。
特に、偏向器の回転に関係なく発生するゴースト光の場合は、走査されずに同じ位置を照射し続けるため、微弱なエネルギー量であっても蓄積されて結果的に大きな光量となってしまい、これが画像として現れ画質劣化を引き起こし問題となっていた。
【０００４】
このようなゴースト光対策として、従来より次のような様々な技術が提案されている。
その１つとして、偏向器前のゴースト光の防止方法として、透明体からなる光学窓を副走査方向に対し傾け、光学窓の表面又は裏面での反射によるゴースト光を被走査媒体上に至らないような構成したものが提案されている（例えば、特許文献１参照）。
【０００５】
また、シリンドリカルレンズを傾けてゴースト光を光軸から外すというものが提案されている（例えば、特許文献２参照）。
また、走査レンズ系を偏芯させてゴースト光が被走査媒体へ至らないようにしたものが提案されている（例えば、特許文献３参照）。
さらに、走査レンズ系を偏芯させてゴースト光が被走査媒体へ至らないようにしたものが提案されている（例えば、特許文献４参照）。
【０００６】
また、画像形成装置においては出力スピードの向上が要求されており、この要求に応えるために、光書込装置としては回転多面鏡の回転速度の向上を図ってきたがそれにも限界があり、光源の複数光源化（ＬＤ合成）や発光点の複数化（ＬＤＡ）による高速化が図られるようになり、光源部の構成も様々な方法が提案されてきた。複数の光束を同時に感光体上を走査させるマルチビーム光源ユニットの場合は、走査させる複数の光束の間隔の調整方法が複雑であった。
【０００７】
【特許文献１】
特開平９−２７４１３４号公報
【特許文献２】
実開平６−８２６２０号公報
【特許文献３】
特開平７−２３００５１号公報
【特許文献４】
特開２００１−２６４６６５号公報
【０００８】
【発明が解決しようとする課題】
前記特許文献１のような構成とした場合は、シリンドリカルレンズが組み付け誤差により傾いてしまうと、レンズの内部反射光がゴースト光となってしまうという問題があった。尚、この問題については後述する本発明の実施の形態において詳しく説明する。
【０００９】
前記特許文献２の方法を用いると、シリンドリカルレンズを傾けることにより、光線の光軸からレンズ光軸がずれる（偏芯する）ため、波面収差が劣化し、その結果ビームスポットの径太りを発生させるという問題があった。
前記特許文献３は、偏向器（ポリゴンスキャナ）以降の走査光学系に関してのものであり、ポリゴン以前の光学素子により発生するゴースト光に関しては考慮されていない。
前記特許文献４は、偏向器以降の走査光学素子間の反射に関するもので、ポリゴン以前の光学素子により発生するゴースト光に関しては考慮されていない。
【００１０】
さらに、前述したように複数の走査光束を用いる場合における各光束の間隔の簡単な調整方法が望まれていた。
【００１１】
本発明は上記の問題を解決するためのもので、反射防止コートを施すことなくゴースト光の影響を防止することを目的とする。
また本発明は、上記ゴースト光の除去に加え、さらに複数の走査光束の間隔を簡単に調整できるようにすることを目的とする。
【００１２】
【課題を解決するための手段】
上記の目的を達成するために本発明による光走査装置は、光源の発散光束をカップリングする第１結像光学系と、前記第１結像光学系の出射光を偏向反射面近傍に線像を形成するように導光する第２結像光学系と、前記偏向反射面を有する偏向器と、前記偏向器により偏向反射された光束を被走査面上に光スポットとして結像する第３結像光学系とから構成される光走査装置において、前記第２結像光学系は、光束の入射側の面に対する法線（光軸）と出射側の面に対する法線（光軸）とが非平行であることを特徴とするものである。
【００１３】
また、本発明による光走査装置は、光源の発散光束をカップリングする第１結像光学系と、前記第１結像光学系の出射光を偏向反射面近傍に線像を形成するように導光する第２結像光学系と、前記偏向反射面を有する偏向器と、前記偏向器により偏向反射された光束を被走査面上に光スポットとして結像する第３結像光学系とから構成される光走査装置において、前記第２結像光学系に入射する光束の入射方向と射出する光束の出射方向とが非平行であることを特徴とするものである。
【００１４】
また、前記光走査装置においては、前記第２結像光学系に入射する光束の入射方向に対して、入射側の面の法線（光軸）は略平行で、出射側の面の法線（光軸）は非平行であることが好ましい。
また、前記光走査装置においては、前記第２結像光学系の内部反射によるゴースト光が前記被走査面に至らないように入射面と出射面が構成されていることが好ましい。
【００１５】
また、前記光走査装置においては、前記光源は複数の発光点を有し、複数の光束を出射する光源装置であってよい。
また、前記光走査装置においては、前記光源及び第１結像光学系を複数組設け複数の光束を出射するものであってよい。
【００１６】
また、前記光走査装置においては、前記被走査面上に光スポットとして結像されたときに、各光源からの光束が前記偏向器の偏向反射面近傍で交差するように構成されていることが好ましい。
また、前記光走査装置においては、前記第２結像光学系は、入射光束の光軸に対して略平行な回転軸の周りを回転可能になされていることが好ましい。
また、前記光走査装置においては、前記第２結像光学系と前記偏向器との間に透明体からなる光学窓を設けてよい。
【００１７】
また、本発明による画像形成装置は、前記光走査装置を備えたことを特徴とするものである。
【００１８】
【発明の実施の形態】
以下、本発明の実施の形態を図面と共に説明する。
図６は本発明の実施の形態による光走査装置の構成図である。
図６において、半導体レーザ（ＬＤ）からなる光源１からの発散光束をカップリングするカップリングレンズ（第１結像光学系）２及び光束幅を規制する開口絞り３から構成される光源装置から出射した光束は、線像結像光学系であるシリンドリカルレンズ（第２結像光学系）４により偏向器（ポリゴンスキャナ）５の偏向反射面５Ａ近傍に主走査方向に長い線状に結像される。
【００１９】
偏向器５は回転軸５Ｂを軸として矢印Ａ方向に等角速度回転しており、入射光束を等角速度的に偏向する。偏向器５はカバー５Ｃにより周りを覆われており、光束は透明体からなる光学窓５Ｄを通り偏向反射面５Ａで偏向され、再び光学窓５Ｄを通って出射される。
偏向器５と被走査媒体７との間に第３結像光学系６（図では２枚レンズ構成であるが、枚数は問わず、また反射光学系でもよい）を配置し、光束８は被走査媒体７上に結像スポット７ａを形成する。結像スポット７ａは偏向器５の回転によって被走査媒体７上を矢印Ｂ方向に光走査する。
【００２０】
同期検知光学系１００は、偏向器５により偏向された光束をミラー１０３により同期検知用結像素子１０２に導き、同期検知用結像素子１０２は、一般的にフォトダイオード等から構成される同期検知素子１０１に偏向光束を導く。光束が同期検知素子１０１上を通過した際に検知信号が出力され、この検知信号は図示していない演算回路で演算処理されることにより、書込開始信号が所定のタイミング後に出力される。ここで所定のタイミングとは、同期検知素子１０１の検知位置から書込開始位置に光束が至るまでの時間である。
【００２１】
同期検知用結像素子１０２は、副走査方向にのみパワー（屈折力）を持つレンズ、主走査方向にのみパワーを持つレンズ、主副両方向にパワーを持つレンズのいずれでもよい。また、同期検知用結像素子１０２として、レンズの代わりにパワーを持つ曲面ミラー等のミラーを用いてもよい。また、同期検知用結像素子１０２を用いず、ミラー１０３に上述のようなパワーを持たせて同期検知素子１０１に直接導くようにして同期検知光学系１００を構成してもよい。
【００２２】
従来技術について前述したように、プラスチック化された光学素子に反射防止コートを施さない場合は、内部反射光によるゴースト光が現れ、画質劣化を引き起こす。
偏向器５より前のゴースト光の防止方法として、前記特許文献１においては、光学窓５Ｄを副走査方向に対して傾け、光学窓５Ｄの表面又は裏面での反射によるゴースト光を被走査媒体７上に至らないようにしている。
しかし、このような構成とした場合でも、図７（副走査方向から見た図）に示すように、シリンドリカルレンズ４が組み付け誤差によりδ傾いてしまうと、シリンドリカルレンズ４の内部反射光８ｂがゴースト光となってしまうという問題が発生する。
【００２３】
図８は副走査方向から見た図で、光学窓５Ｄを傾け、光学窓５Ｄによる反射光が被走査媒体７に至らないようにしたものである。
図８においては、光学窓５Ｄをθ傾けて取り付けているため、理想的に光学窓５Ｄに到達した光束は光学窓５Ｄで反射しても、その反射光束８ａは図示のように第３結像光学系６の光軸に対してθ’の傾きを持つので、第３結像光学系６は透過せず、被走査媒体７へは到達しない。
【００２４】
これに対して図７のようにシリンドリカルレンズ４が傾いて組み付けられた場合は、レンズ内部反射光８ｂがレンズ光軸に対して傾き、光学窓５Ｄの到達位置がシフトする。その結果、図８のように第３結像光学系６を光束８ｂが通過してしまい、その結果被走査媒体７に到達しゴースト画像となって現れてしまう。
図９は主走査方向から見た図で、光学窓５Ｄで反射したゴースト光の光束８ｂは第３結像光学系６を通過し、被走査媒体７上の７ｇの位置に到達する。この光束８ｂは、偏向器５の回転に関係なく同じ位置に現れるため、微少なエネルギーでも蓄積され、画像となって現れるに充分なエネルギーとなってしまう。
【００２５】
本発明は、このシリンドリカルレンズ４の内部反射によるゴースト光が被走査媒体７に到達しないような構成を提案するものである。
図１に請求項１の発明に関する第１の実施の形態を示す。
図１はシリンドリカルレンズ４を副走査方向から見た図で、シリンドリカルレンズ４の入射側の面４ａ（図の例では副走査方向にのみパワーを持つシリンドリカル面）に対する法線（レンズ光軸）ｊと、出射側の面４ｂ（図の例では平面）に対する法線（レンズ光軸）ｋとを非平行としている。
【００２６】
このようにすることにより、レンズ内部で内部反射が生じた場合でも、その反射光によるゴースト光８ｂは被走査媒体７に到達しないようにすることができる。図示の例では、ゴースト光８ｂはレンズ保持部材９方向に向かい、そのベース面で拡散される。
【００２７】
図２は本発明の第２の実施の形態を示すもので、主走査方向から見た図である。
前記第１の実施の形態がシリンドリカルレンズ４の出射側の面４ｂを副走査方向に傾けたのに対し、第２の実施の形態では出射側の面４ｂを主走査方向に傾けている。
このように構成することにより、やはり、レンズ内部で発生したゴースト光８ｂを被走査媒体７に到達しないようにすることができる。本実施の形態では、ゴースト光８ｂは偏向器５を覆っているカバー５ｃに当たり拡散される。
【００２８】
第１及び第２の実施の形態では、シリンドリカルレンズ４の出射側の面４ｂを傾けているため、レンズへの入射光の入射方向と内部反射光の出射方向とは、図１、図２に示すように非平行となる。例えば、図２の場合、出射側の面４ｂ（図の例では平面）が傾いているため、出射光束はプリズム効果により、出射方向を傾けられる。このため、シリンドリカルレンズ４の入射側の面４ａ（図の例では副走査方向にのみパワーを持つシリンドリカル面）への入射方向ｑと、出射光束の方向ｒとが異なり、非平行となる。図１の場合も同様である。
このように構成することにより、レンズ内部で発生したゴースト光が被走査面７上に至らないようにすることができる。この構成は請求項２の発明に関する。
【００２９】
以上説明した第１及び第２の実施の形態によれば、第２結像光学系としてのシリンドリカルレンズ４の内部反射によるゴースト光が偏向器５に至らないようにすることができる。
【００３０】
また、シリンドリカルレンズ４の入射側の面４ａであるシリンドリカル面は、面を偏芯させて光束を入射させると、光束の波面が乱れて波面収差が発生し、これがビームスポットの径太りの原因となる。そのため、シリンドリカル面４ａに対して光束はレンズの法線と略平行に光束を入射させることが好ましい。その場合、出射側の面４ｂは傾いているので、その結果、シリンドリカルレンズ４は光束の入射方向に対し、入射側の面４ａの法線は略平行で、出射側の面４ｂの法線は非平行ということになる（請求項３の発明に関する）。
これによって、シリンドリカル面における波面収差の発生を押さえることができ、ビームスポットの径太りを防ぐことができる。
【００３１】
しかし、光学レイアウトによっては、シリンダレンズ面４ａの法線と平行に配置するのが困難な場合がある。その場合は、シリンダレンズ面の屈折力のある方向に関しては、レンズ光軸と入射光束の入射方向を略平行にし、屈折力のない方向に関して光束を斜入射とし、レイアウトを行うように対応する。このようにすることにより、シリンドリカルレンズ４による波面収差の発生を抑えることができる。
従って、第１及び第２に実施の形態は、レンズ内部の反射により生じるゴースト光が、被走査媒体７へ到達しないように構成されていることは明らかである（請求項４の発明に関する）。
【００３２】
光源としては半導体レーザ（ＬＤ）が一般的に用いられるが、複数の発光点を有する半導体レーザアレイ（ＬＤＡ）や、ＬＤを複数個組み合わせて光源部を構成してもよい。また、ＬＤＡを複数個組み合わせて光源部を構成してもよい。このように複数光源を用い、複数光束で走査することにより、光走査装置を搭載した画像形成装置の出力スピードを上げることができる（請求項５の発明に関する）。
【００３３】
次に、図３を用いて本発明の第３の実施の形態による光走査装置について説明する。
本実施の形態は、光源と複数組の第１結像光学系とを組み合わせて構成した光走査装置であり、請求項６の発明に関するものである。
図３において、複数の半導体レーザ（ＬＤ）からなる光源１Ａ及び１Ｂからの発散光束をカップリングするカップリングレンズ（第１結像光学系）２Ａ及び２Ｂ、光束幅を規制する開口絞り３Ａ及び３Ｂから構成される光源装置から出射した光束は、線像結像光学系であるシリンドリカルレンズ４（第２結像光学系）により偏向器５の偏向反射面５Ａ近傍に線状に結像される。本実施の形態では、シリンドリカルレンズ４の出射側の面４ｂは主走査方向に傾いている。
【００３４】
本実施の形態によれば、光源と第１結像光学系の組合せを複数化することにより感光体上を光走査する光束の本数を増やし出力速度を上げることができる。
【００３５】
主走査平面内において発光点から被走査媒体７までの間で、光源１Ａ、１Ｂからの光束は交差するように各光学素子は配置されている。図示の例では、偏向反射面５Ａ近傍で交差するように配置されているが、偏向反射面５Ａより光源側でも、被走査媒体側で交差してもよい。
偏向反射面近傍で光束が交差するようにすることにより、走査光学系である第３結像光学系に対する光軸を同じくし、走査面上の走査光束の結像性能（像面湾曲、倍率誤差、等）の劣化を防ぐことができる（請求項７の発明に関する）。
【００３６】
偏向器５は回転軸５Ｂを軸として矢印Ａ方向に角速度回転しており、入射光束を等角速度的に偏向する。偏向器５はカバー５Ｃにより周りを覆われており、光束は透明体からなる光学窓５Ｄを通り偏向反射面５Ａで偏向され、再び光学窓５Ｄを通り出射される。偏向器５と被走査媒体７との間に第３結像光学系６（図では２枚のレンズ構成であるが、枚数は問わず、また反射光学系でもよい）を配置し、光束８Ａ及び８Ｂは被走査媒体７上に結像スポット７Ａ及び７Ｂを形成する。
【００３７】
結像スポット７Ａ、７Ｂは、偏向器５の回転によって被走査媒体７上を間隔Ｐｍを以って矢印Ｂ向に光走査する。この結像スポット７Ａと７Ｂとの間隔Ｐｍは光束が主走査平面内で交差するように配置されている関係上、必然的に発生する。
【００３８】
同期検知光学系１００は、偏向器５で偏向された光束を１０３により同期検知用光学系１０２を用いて、フォトダイオード等から構成される同期検知素子１０１に偏向光束を導き、光束が同期検知素子１０１上を通過した際に検知信号が出力され、図示しない演算回路により演算処理され、書込開始信号が所定のタイミングの後出力される。所定タイミングとは、同期検知素子１０１の検知位置から書込開始位置に光束が至るまでの時間である。
【００３９】
光源１Ａ、１Ｂによる結像スポット７Ａ、７Ｂは主走査方向に間隔Ｐｍを持っているため、結像スポット７Ａに対する書込開始信号が出力され、結像スポット７Ａにより被走査媒体７上に光書込みが開始された後、上記のタイミングで結像スポット７Ｂが書込開始位置に到達したとき、結像スポット７Ｂに対する書込開始信号が出力され、結像スポット７Ｂにより被走査媒体７上に光書込みが開始される。
【００４０】
図４は上記走査光学系の被走査面７上での結像スポット７Ａ、７Ｂの位置関係を模式的に示した図である。
結像スポット７Ａと７Ｂは主走査方向にピッチ間隔Ｐｍを持っている。また、副走査方向の間隔Ｐｓは書込密度により一義的に決定される。例えば６００ｄｐｉの場合は４２．３μｍで、１２００ｄｐｉの場合は２１．２μｍである。結像スポット７Ａ、７Ｂは被走査媒体７上を主走査方向に走査している際に、被走査媒体７は副走査方向に移動速度Ｖ（ｍｍ／ｓ）で移動している。
【００４１】
次に、本実施の形態の構成の場合の被走査面７上での副走査ビームピッチＰｓの調整方法について説明する。
原理的には、図５に示すように楔形状プリズム５０を、入射光の光軸に略平行な回転軸回りにγ回転させると、副走査ビームピッチＰｓを調整することができる。この楔形状プリズム５０に相当するのがシリンドリカルレンズ４である。図１、図２、図３に示されるシリンドリカルレンズ４は完全な楔形形状ではないが、実質的に楔形状プリズム５０としての機能を有している。
【００４２】
図５に示すように第２結像光学系を入射光軸回りに回転することにより、屈折により最大φだけ偏向角度を可変できる。最大偏向角φは、頂角αと第２結像光学系の屈折率をｎとしたとき式（１）で表される。
φ＝（ｎ−１）×α・・・（１）
【００４３】
また、カップリングレンズ（第１結像光学系）２Ａ、２Ｂの焦点距離をｆｃｏｌ、光学系全系の副走査横倍率をｍ、第２結像光学系の回転軸回りの調整角をΔγとしたとき、被走査面７上のビームスポット位置（副走査方向）の変化量Δｚは式（２）で表される。
Δｚ＝ｍ×ｆｃｏｌ×ｔａｎ（φ×ｓｉｎΔγ）・・・（２）
【００４４】
従って、上記式（２）に基づいてシリンドリカルレンズ４を入射光の光軸に略平行な回転軸回りに回転させることにより、被走査面７上のピッチ間隔を簡単に調整できる（請求項８の発明に関する）。
【００４５】
尚、本実施の形態では、シリンドリカルレンズ４は光源１Ａ、１Ｂの両方の光束を共通に透過する構成となっているが、個々の光源１Ａ及び光源１Ｂそれぞれに対してシリンドリカルレンズ４を設けてもよい。
【００４６】
図１０は本発明の実施の形態による画像形成装置を示す構成図である。この画像形成装置３０は、上述した本発明による光走査装置３６を搭載したものである。
図１０において、原稿３１はコンタクトガラス３２上に置かれ、ランプ３３で照射された原稿画像はミラー４５でスキャナレンズブロック３４へ導かれ、ＣＣＤにより画像データとして処理される。
【００４７】
画像データ３５は光走査装置３６に転送され、ＬＤは画像データに応じてＯＮ／ＯＦＦを繰り返し、帯電器４０により帯電された前記被走査面７としての感光体ドラム２０上を光スポットが走査する。これによって感光体ドラム２０上に静電潜像が形成され、この静電潜像は現像器３７によりトナー像として現像される。
【００４８】
一方、給紙トレイ３８から用紙が給紙ローラ３９により感光体ドラム２０に搬送され、トナー像は転写ローラ４０により用紙に転写される。転写後の用紙は定着器４１により定着され、排紙ローラ４４により排紙トレイ４２に排出される。感光体ドラム２０は除電・クリーナ４３により除電及びクリーニングがなされ、再び帯電からの工程を繰り返す。
本実施の形態によれば、本発明による光走査装置３６を組み込むことにより、ゴースト光による画像劣化を抑え、かつ出力速度の速い画像形成装置を実現することができる。
【００４９】
さらに本実施の形態による画像形成装置と電子演算装置（コンピュータ等）、画像情報通信システム（ファクシミリ等）等とをネットワークを介して接続することにより、１台の画像形成装置で複数の機器からの出力を処理することができる情報処理システムを構築することができる。また、ネットワーク上に複数の画像形成装置を接続すれば、各出力要求から各画像形成装置の状態（ジョブの混み具合、電源が入っているかどうか、故障しているかどうか等）を知ることができ、一番状態の良い（使用者の希望に一番適した）画像出力装置を選択し、出力を行うことができるようになる。
【００５０】
【発明の効果】
以上説明したように本発明によれば、シリンドリカルレンズ等の第２結像光学系の内部反射によるゴースト光が偏向器に至らないようにすることができ、これにより画像劣化を防ぐことができる。
また、複数の光束で走査する場合には、各光束の間隔を簡単に調整することができる。
【図面の簡単な説明】
【図１】本発明の第１の実施の形態による光走査装置のシリンドリカルレンズ部分の構成図である。
【図２】本発明の第２の実施の形態による光走査装置のシリンドリカルレンズ周辺部の構成図である。
【図３】本発明の第３の実施の形態による光走査装置の構成図である。
【図４】複数光束のピッチ調整を説明する構成図である。
【図５】楔形プリズムを用いて複数光束のピッチ調整を説明する構成図である。
【図６】本発明の実施の形態による光走査装置を示す構成図である。
【図７】ゴースト光が生じることを説明するシリンドリカルレンズ部分の構成図である。
【図８】ゴースト光が生じることを説明する光学窓付近の構成図である。
【図９】ゴースト光による結像を示す構成図である。
【図１０】本発明の実施の形態による画像形成装置を示す構成図である。
【符号の説明】
１、１Ａ、１Ｂ  光源
２、２Ａ、２Ｂ  カップリングレンズ（第１結像光学系）
４  シリンドリカルレンズ（第２結像光学系）
４ａ  シリンドリカルレンズ４の入射側の面
４ｂ  シリンドリカルレンズ４の出射側の面
５  偏向器
５Ａ  偏向反射面
５Ｄ  光学窓
６  第３結像光学系
７  被走査媒体
７ａ、７Ａ、７Ｂ  結像スポット
８ａ、８ｂ  シリンドリカルレンズ４の内部反射光（ゴースト光）
３６  光走査装置
３０  画像形成装置
【図１】
2005037501.tif 000003
【図２】
2005037501.tif 000004
【図３】
2005037501.tif 000005
【図４】
2005037501.tif 000006
【図５】
2005037501.tif 000007
【図６】
2005037501.tif 000008
【図７】
2005037501.tif 000009
【図８】
2005037501.tif 000010
【図９】
2005037501.tif 000011
【図１０】
2005037501.tif 000012